【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
複数視点の映像データをH.264 AVC/MVCで符号化して得られた、MVCヘッダが付加されていないビデオデータからなる基本ストリームと、MVCヘッダが付加されたビデオデータからなる拡張ストリームと、前記基本ストリームが左目用のビデオストリームであるのか右目用のビデオストリームであるのかを表すフラグが記述されたPlayListファイルとを記録媒体から取得する取得部と、
取得された前記基本ストリームと前記拡張ストリームのビデオデータのうち、PIDに基づいて識別した前記基本ストリームのビデオデータを第１のバッファに記憶させ、前記拡張ストリームのビデオデータを第２のバッファに記憶させるフィルタ部と、
前記第１のバッファに記憶された前記基本ストリームのビデオデータと前記第２のバッファに記憶された前記拡張ストリームのビデオデータを復号する復号部と、
前記基本ストリームが左目用のビデオストリームであることを前記フラグが表しているときには前記基本ストリームのビデオデータの復号結果のデータを左目用のビデオデータとして出力するとともに前記拡張ストリームのビデオデータの復号結果のデータを右目用のビデオデータとして出力し、前記基本ストリームが右目用のビデオストリームであることを前記フラグが表しているときには前記基本ストリームのビデオデータの復号結果のデータを右目用のビデオデータとして出力するとともに前記拡張ストリームのビデオデータの復号結果のデータを左目用のビデオデータとして出力するように、前記フラグに基づいて、前記復号部による復号結果のデータの出力先を切り替える切り替え部と
を備える再生装置。
【請求項２】
前記切り替え部は、前記復号部により復号されたデータが、前記基本ストリームの復号結果のデータであるのか、前記拡張ストリームの復号結果のデータであるのかを、PIDに基づいて識別する
請求項１に記載の再生装置。
【請求項３】
前記切り替え部は、前記復号部により復号されたデータが、前記基本ストリームの復号結果のデータであるのか、前記拡張ストリームの復号結果のデータであるのかを、符号化時に前記拡張ストリームに設定された視点の識別情報に基づいて識別する
請求項１に記載の再生装置。
【請求項４】
前記切り替え部は、設定されている前記視点の識別情報に基づいて前記拡張ストリームの復号結果のデータを識別し、前記視点の識別情報が設定されていないストリームの復号結果のデータを、前記基本ストリームの復号結果のデータとして識別する
請求項３に記載の再生装置。
【請求項５】
複数視点の映像データをH.264 AVC/MVCで符号化して得られた、MVCヘッダが付加されていないビデオデータからなる基本ストリーム、および、MVCヘッダが付加されたビデオデータからなる拡張ストリームと、
前記基本ストリームが左目用のビデオストリームであるのか右目用のビデオストリームであるのかを表すフラグが記述されたPlayListファイルと
を含む情報を記録した記録媒体であって、
前記記録媒体の再生装置においては、
前記基本ストリーム、前記拡張ストリーム、および前記PlayListファイルが前記記録媒体から取得され、
取得された前記基本ストリームと前記拡張ストリームのビデオデータのうち、PIDに基づいて識別された前記基本ストリームのビデオデータが第１のバッファに記憶され、前記拡張ストリームのビデオデータが第２のバッファに記憶され、
前記第１のバッファに記憶された前記基本ストリームのビデオデータと前記第２のバッファに記憶された前記拡張ストリームのビデオデータが復号され、
前記基本ストリームが左目用のビデオストリームであることを前記フラグが表しているときには前記基本ストリームのビデオデータの復号結果のデータを左目用のビデオデータとして出力するとともに前記拡張ストリームのビデオデータの復号結果のデータを右目用のビデオデータとして出力し、前記基本ストリームが右目用のビデオストリームであることを前記フラグが表しているときには前記基本ストリームのビデオデータの復号結果のデータを右目用のビデオデータとして出力するとともに前記拡張ストリームのビデオデータの復号結果のデータを左目用のビデオデータとして出力するように、前記フラグに基づいて、復号結果のデータの出力先が切り替えられる
記録媒体。
【請求項６】
複数視点の映像データをH.264 AVC/MVCで符号化することによって、MVCヘッダが付加されていないビデオデータからなる基本ストリーム、および、MVCヘッダが付加されたビデオデータからなる拡張ストリームを生成し、
前記基本ストリームが左目用のビデオストリームであるのか右目用のビデオストリームであるのかを表すフラグが記述されたPlayListファイルを生成し、
前記基本ストリーム、前記拡張ストリーム、および前記PlayListファイルを記録媒体に記録させる
ステップを含む情報処理方法であって、
前記記録媒体の再生装置においては、
前記基本ストリーム、前記拡張ストリーム、および前記PlayListファイルが前記記録媒体から取得され、
取得された前記基本ストリームと前記拡張ストリームのビデオデータのうち、PIDに基づいて識別された前記基本ストリームのビデオデータが第１のバッファに記憶され、前記拡張ストリームのビデオデータが第２のバッファに記憶され、
前記第１のバッファに記憶された前記基本ストリームのビデオデータと前記第２のバッファに記憶された前記拡張ストリームのビデオデータが復号され、
前記基本ストリームが左目用のビデオストリームであることを前記フラグが表しているときには前記基本ストリームのビデオデータの復号結果のデータを左目用のビデオデータとして出力するとともに前記拡張ストリームのビデオデータの復号結果のデータを右目用のビデオデータとして出力し、前記基本ストリームが右目用のビデオストリームであることを前記フラグが表しているときには前記基本ストリームのビデオデータの復号結果のデータを右目用のビデオデータとして出力するとともに前記拡張ストリームのビデオデータの復号結果のデータを左目用のビデオデータとして出力するように、前記フラグに基づいて、復号結果のデータの出力先が切り替えられる
情報処理方法。
【手続補正２】
【補正対象書類名】明細書
【補正対象項目名】発明の名称
【補正方法】変更
【補正の内容】
【発明の名称】再生装置、記録媒体、および情報処理方法
【手続補正３】
【補正対象書類名】明細書
【補正対象項目名】００１２
【補正方法】変更
【補正の内容】
【００１２】
本発明の第１の側面の再生装置は、複数視点の映像データをH.264 AVC/MVCで符号化して得られた、MVCヘッダが付加されていないビデオデータからなる基本ストリームと、MVCヘッダが付加されたビデオデータからなる拡張ストリームと、前記基本ストリームが左目用のビデオストリームであるのか右目用のビデオストリームであるのかを表すフラグが記述されたPlayListファイルとを記録媒体から取得する取得部と、取得された前記基本ストリームと前記拡張ストリームのビデオデータのうち、PIDに基づいて識別した前記基本ストリームのビデオデータを第１のバッファに記憶させ、前記拡張ストリームのビデオデータを第２のバッファに記憶させるフィルタ部と、前記第１のバッファに記憶された前記基本ストリームのビデオデータと前記第２のバッファに記憶された前記拡張ストリームのビデオデータを復号する復号部と、前記基本ストリームが左目用のビデオストリームであることを前記フラグが表しているときには前記基本ストリームのビデオデータの復号結果のデータを左目用のビデオデータとして出力するとともに前記拡張ストリームのビデオデータの復号結果のデータを右目用のビデオデータとして出力し、前記基本ストリームが右目用のビデオストリームであることを前記フラグが表しているときには前記基本ストリームのビデオデータの復号結果のデータを右目用のビデオデータとして出力するとともに前記拡張ストリームのビデオデータの復号結果のデータを左目用のビデオデータとして出力するように、前記フラグに基づいて、前記復号部による復号結果のデータの出力先を切り替える切り替え部とを備える。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
前記切り替え部には、前記復号部により復号されたデータが、前記基本ストリームの復号結果のデータであるのか、前記拡張ストリームの復号結果のデータであるのかを、PIDに基づいて識別させることができる。
【手続補正６】
【補正対象書類名】明細書
【補正対象項目名】００１５
【補正方法】変更
【補正の内容】
【００１５】
前記切り替え部には、前記復号部により復号されたデータが、前記基本ストリームの復号結果のデータであるのか、前記拡張ストリームの復号結果のデータであるのかを、符号化時に前記拡張ストリームに設定された視点の識別情報に基づいて識別させることができる。
【手続補正７】
【補正対象書類名】明細書
【補正対象項目名】００１６
【補正方法】変更
【補正の内容】
【００１６】
前記切り替え部には、設定されている前記視点の識別情報に基づいて前記拡張ストリームの復号結果のデータを識別させ、前記視点の識別情報が設定されていないストリームの復号結果のデータを、前記基本ストリームの復号結果のデータとして識別させることができる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
本発明の一側面の記録媒体は、複数視点の映像データをH.264 AVC/MVCで符号化して得られた、MVCヘッダが付加されていないビデオデータからなる基本ストリーム、および、MVCヘッダが付加されたビデオデータからなる拡張ストリームと、前記基本ストリームが左目用のビデオストリームであるのか右目用のビデオストリームであるのかを表すフラグが記述されたPlayListファイルとを含む情報を記録した記録媒体である。
【手続補正１４】
【補正対象書類名】明細書
【補正対象項目名】００２３
【補正方法】変更
【補正の内容】
【００２３】
本発明の一側面の情報処理方法は、複数視点の映像データをH.264 AVC/MVCで符号化することによって、MVCヘッダが付加されていないビデオデータからなる基本ストリーム、および、MVCヘッダが付加されたビデオデータからなる拡張ストリームを生成し、前記基本ストリームが左目用のビデオストリームであるのか右目用のビデオストリームであるのかを表すフラグが記述されたPlayListファイルを生成し、前記基本ストリーム、前記拡張ストリーム、および前記PlayListファイルを記録媒体に記録させるステップを含む。
【手続補正１５】
【補正対象書類名】明細書
【補正対象項目名】００２４
【補正方法】変更
【補正の内容】
【００２４】
本発明の一側面においては、前記基本ストリーム、前記拡張ストリーム、および前記PlayListファイルが前記記録媒体から取得され、取得された前記基本ストリームと前記拡張ストリームのビデオデータのうち、PIDに基づいて識別された前記基本ストリームのビデオデータが第１のバッファに記憶され、前記拡張ストリームのビデオデータが第２のバッファに記憶され、前記第１のバッファに記憶された前記基本ストリームのビデオデータと前記第２のバッファに記憶された前記拡張ストリームのビデオデータが復号され、前記基本ストリームが左目用のビデオストリームであることを前記フラグが表しているときには前記基本ストリームのビデオデータの復号結果のデータを左目用のビデオデータとして出力するとともに前記拡張ストリームのビデオデータの復号結果のデータを右目用のビデオデータとして出力し、前記基本ストリームが右目用のビデオストリームであることを前記フラグが表しているときには前記基本ストリームのビデオデータの復号結果のデータを右目用のビデオデータとして出力するとともに前記拡張ストリームのビデオデータの復号結果のデータを左目用のビデオデータとして出力するように、前記フラグに基づいて、復号結果のデータの出力先が切り替えられる。